【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
複数の異なる色のヤーンを含む、模様がつけられタフティングされた物品を形成するためのタフティングマシンであって、該タフティングマシンは、
少なくとも１つの針棒であって、該針棒に沿って取り付けられた一連の針を有する、針棒と、
該タフティングマシンのタフティングゾーンを通してバッキング材料を給送するためのバッキング給送ロールと、
一連のヤーンを該針に給送するための模様ヤーン給送メカニズムと、
該少なくとも１つの針棒を該タフティングゾーンを横切って横方向にシフトするための少なくとも１つの針棒シフターと、
一連のゲージ部品であって、該一連のゲージ部品は、該タフティングゾーンの下に取り付けられ、該針が該バッキング材料の中に往復して該バッキング材料にヤーンのタフトを形成するとき、該少なくとも１つの針棒の該針と係合する位置にある、一連のゲージ部品と、
制御システムであって、該制御システムは、該少なくとも１つの針棒シフターと協働して該ヤーン給送メカニズムを制御して、必要に応じてヤーンを該針に給送することを制御することによって、ヤーンの高いタフトを形成し、ヤーンのうちの選択されたヤーンを、下げるように引き出すか、または該バッキングゾーン材料の外にから引き出す、制御システムと
を備え、
該ヤーンのタフトは、該模様の異なる色のヤーンの数で乗算された所望の模様がつけられる物品のスティッチ速度に基づいた高められた有効処理スティッチ速度でバッキング材料に形成され、該模様がつけられる物品の密度を実質的に維持する、
タフティングマシン。
【請求項２】
前記ゲージ部品は、一連の延長可能なクリップを有する複数のレベルカット／ループルーパを備えている、請求項１に記載のタフティングマシン。
【請求項３】
アクチュエータコネクタをさらに含み、該アクチュエータコネクタは、アクチュエータの出力シャフトに接続されるように構成され、該アクチュエータは、延長された位置と引込められた位置との間で前記レベルカットループルーパの前記クリップのうちの１つを動かし、ループパイルタフトおよびカットパイルタフトを形成し、軸方向に対して横方向に沿って、該アクチュエータコネクタ部分から角度がついて前方に延びる延長部分と、コネクタスロットであって、該コネクタスロットは、該延長部分から延び、該レベルカットループルーパのうちの１つの該クリップのうちの１つを受け入れるように構成され、該コネクタスロットは、該コネクタスロットの側面に沿って延びる側壁を含む、コネクタスロットとを有する、請求項２に記載のタフティングマシン。
【請求項４】
前記コネクタスロットの前記側壁は十分な距離間隔が置かれ、前記クリップが、該コネクタスロットの中に受け入れられ、着座することを可能にし、一方、各クリップの長手方向の軸回りに該クリップが回転することを防止し、そのアクチュエータコネクタに対して各クリップが実質的に横方向に動くことを防止する、請求項３に記載のタフティングマシン。
【請求項５】
前記模様ヤーン給送メカニズムは、模様アタッチメントを備え、該模様アタッチメントは、複数のヤーン給送デバイスを有し、該複数のヤーン給送デバイスの各々は、少なくとも１つの選択されたヤーンを前記針のうちの選択された１つに給送する、請求項１に記載のタフティングマシン。
【請求項６】
前記模様ヤーン給送メカニズムは、模様アタッチメントを備え、該模様アタッチメントは、一連のヤーン給送ロールを有し、該一連のヤーン給送ロールの各々は、１つの給送ロールにつき少なくとも２つのヤーンを選択された針に給送する、請求項１に記載のタフティングマシン。
【請求項７】
前記模様ヤーン給送メカニズムは、スクロールアタッチメント、ロールアタッチメント、ダブルエンドヤーン給送アタッチメント、またはシングルエンドヤーン給送アタッチメントを備えている、請求項１に記載のタフティングマシン。
【請求項８】
前記ゲージ部品は、カットパイルフック、ループパイルルーパ、レベルカットループルーパおよび／またはそれらの組み合わせを備えている、請求項１に記載のタフティングマシン。
【請求項９】
複数の異なる色のヤーンのタフトを含む、模様がつけられた物品をタフティングする方法であって、該方法は、
模様がつけられたタフティングされた物品に対して規定されたスティッチ速度でタフティングマシンを通してバッキング材料を給送することと、
該バッキング材料が、該タフティングマシンを通して給送されるとき、一連の針を往復させてヤーンを該バッキング材料の中に送達することと、
該バッキング材料の中に該針によって送達されたヤーンを一連のゲージ部品と係合させ、該針からヤーンのループを引き、該バッキング材料にヤーンのタフトを形成することと、
該物品に対する模様のシフトプロファイルに従って、該針のうちの少なくとも一部を横方向にシフトすることと、
該物品に対する該模様の該シフトプロファイルに従って、該針に該ヤーンを給送することを選択的に制御し、ヤーンの高いタフトを形成し、そして所望のとおりにヤーンのループを引き戻すことと
を包含し、
ヤーンの該タフトは、該規定されたスティッチ速度の該模様に形成される異なる色の数倍に実質的に相当する、高められた有効処理スティッチ速度で該バッキング材料に形成される、
方法。
【請求項１０】
前記ヤーンの給送を制御することは、ヤーンをバックロビングし、前記模様がつけられる物品において高いタフトの中で隠される低いタフトを形成することを包含する、請求項９に記載の方法。
【請求項１１】
前記ヤーンの給送を制御することは、各針に給送される各ヤーンを制御して、前記高いタフトのヤーンを形成し、選択されたヤーンを下げるように引き出すか、または前記バッキング材料の外に引き出すことを包含する、請求項９に記載の方法。
【請求項１２】
ヤーンの少なくとも２つの異なる色が前記模様に使用され、前記有効処理スティッチ速度は、前記バッキング材料の給送のために前記模様がつけられる物品に対して規定されるスティッチ速度の少なくともほぼ２倍である、請求項９に記載の方法。
【請求項１３】
各タフト列に、規定されたスティッチ速度にほぼ相当する数の高いタフトを形成することをさらに包含する、請求項９に記載の方法。
【請求項１４】
前記模様の各色ステップに対する各タフト列に、ほぼ相当する高いタフトを形成することをさらに包含する、請求項９に記載の方法。
【請求項１５】
タフティングマシンを動作させて、複数の色を有する、模様がつけられタフティングされた物品を形成する方法であって、該方法は、
該タフティングマシンを通してバッキング材料を給送することと、
シフト可能な針棒によって運ばれる一連の針に複数のヤーンを給送することと、
該タフティングされる物品の模様に対してプログラムされたシフトプロファイルに従って横方向に針棒をシフトすることと、
プログラムされた模様命令に従って該針にヤーンを給送することを制御し、それによって、該バッキング材料にヤーンの高いタフトおよび低いタフトの列を形成するために必要に応じて、該針にヤーンの所望の量を給送することと、
高められた有効スティッチ速度でヤーンの該タフトを形成することであって、該高められた有効スティッチ速度は、模様がつけられタフティングされる物品に形成される色の数を所望の布スティッチ速度で乗じることによって決定され、該所望の布スティッチ速度は、該模様がつけられたタフティングされた物品に対して所望される１インチ当たりのスティッチの数を含む、こととを包含し、
ヤーンを給送して該高いタフトおよび低いタフトを形成することは、該針のシフティングをたどることであり、それによってタフトの列の方向において該バッキング材料に形成されるヤーンの該タフトの密度、および該バッキングにわたる所望の位置における該ヤーンの高いタフトの位置を実質的に維持して、該模様がつけられた物品を形成する
方法。
【請求項１６】
前記ヤーンの給送を制御することは、高いタフトを形成する各針に第１の量のヤーンを給送し、一方、低いタフトを形成する各針に第２の、より少ない量のヤーンを提供する、請求項１５に記載の方法。
【請求項１７】
第２の、より少ない量のヤーンを給送することは、前記バッキング材料から低いタフトを実質的に隠すかまたは取り除くために十分な程度に、各針に給送されるヤーンをバックロビングすることを包含する、請求項１６に記載の方法。
【請求項１８】
前記バッキングに、前記所望のスティッチ速度にほぼ一致する数の高いタフトを形成することをさらに包含する、請求項１５に記載の方法。
【請求項１９】
前記タフティングマシンは、１０分の１ゲージタフティングマシンであり、前記所望の布スティッチ速度は、１インチにつきほぼ１０スティッチである、請求項１５に記載の方法。
【請求項２０】
前記模様がつけられタフティングされる物品は少なくとも２色を含み、前記有効処理スティッチ速度は、少なくとも１インチ当たり約２０スティッチである、請求項１９に記載の方法。
【請求項２１】
前記タフティングマシンは、８分の１ゲージタフティングマシンであり、前記所望の布スティッチ速度は、１インチ当たりほぼ８スティッチである、請求項１５に記載の方法。
【請求項２２】
前記模様がつけられタフティングされる物品は少なくとも２色を含み、前記有効スティッチ速度は、少なくとも１インチ当たり約１６スティッチである、請求項２１に記載の方法。
【請求項２３】
前記タフティングマシンは、１６分の１ゲージタフティングマシンであり、前記所望の布スティッチ速度は、１インチ当たりほぼ１６スティッチである、請求項１５に記載の方法。
【請求項２４】
前記模様がつけられタフティングされる物品は少なくとも２色を含み、前記有効スティッチ速度は、少なくとも１インチ当たり約３２スティッチである、請求項２３に記載の方法。
【請求項２５】
前記模様の前記プログラムされたシフトプロファイルにおける初めのシフトステップを反復することをさらに包含する、請求項１５に記載の方法。
【請求項２６】
前記模様の各スティッチに対して、レベルカットループルーパの一連のクリップを選択的に作動させ、カットパイルタフトおよびループパイルタフトを形成することをさらに包含する、請求項１５に記載の方法。